(57)【特許請求の範囲】
【請求項１】
ジャックに着脱可能に装着され、先端側に設けた、前記ジャックと通電するための電極部と、前記電極部の内部に空間を形成して設けた接点信号発生部と、を備える差込部と、この差込部に連続して設け、前記電極部で通電した信号を送るケーブルを接続した本体部と、を備えるプラグであって、
前記接点信号発生部は、その壁面に形成した開口部と、この開口部から一部が露出可能に前記空間内に収納された可動部材と、この可動部材の移動により押下されるスイッチと、を備え、
前記可動部材は、前記ジャックから離脱したときには、前記スイッチから離間して前記開口部から一部が露出され、前記ジャックに装着されたときには、前記ジャック壁面に押されて前記スイッチを押下する大きさに形成され、
前記スイッチは、前記空間内に付勢部材により付勢されて設けられ、前記付勢部材に抗して前記可動部材に押下されたときに、前記ジャックと通電したことを示す接点信号を出力する
ことを特徴とするプラグ。
【請求項２】
前記開口部は、
前記壁面に形成した第一の開口部と、この第一の開口部から離間して前記壁面に形成した第二の開口部と、を備え、
前記可動部材は、
前記第一の開口部から一部が露出可能に前記空間内に収納された第一の球体と、前記第一の球体よりも前記スイッチに近接した位置で前記第一の球体と接し、前記第二の開口部から一部が露出可能に前記空間内に収納された第二の球体と、を備え、
前記第一の球体は、前記ジャックから離脱したときには、前記開口部から一部が露出され、前記ジャックに装着されたときには、前記ジャック壁面に押されて前記空間内に収容されるとともに、前記第二の球体を前記スイッチ側へ押し出し、
前記第二の球体は、前記第一の球体によって前記スイッチ側へ押し出された状態で前記ジャックに装着されたときには、前記ジャック壁面に押されて前記空間内に収容されるとともに、前記スイッチを押下する
ことを特徴とする請求項１に記載のプラグ。
【請求項３】
前記可動部材は、
前記開口部から一部が露出可能に前記空間内に収納された球体であり、
前記球体は、前記ジャックから離脱したときには、前記スイッチから離間して前記開口部から一部が露出され、前記ジャックに装着されたときには、前記ジャック壁面に押されて前記空間内に収容されて前記スイッチを押下する
ことを特徴とする請求項１に記載のプラグ。
【請求項４】
前記可動部材は、前記空間内に収納された複数の球体を備え、
前記開口部は、前記球体の少なくとも一つの一部を前記壁面から露出可能な大きさに形成され、
前記球体は、前記ジャックから離脱したときには、前記スイッチから離間して前記開口部から一部が露出され、前記ジャックに装着されたときには、前記ジャックの前記壁面に押されて前記スイッチを押下する大きさにそれぞれ形成された
ことを特徴とする請求項１に記載のプラグ。
【請求項５】
前記本体部は、
前記スイッチから出力された接点信号を入力する接点信号入力部を介して、前記接点信号を表示する表示部を備える
ことを特徴とする請求項１から請求項４のいずれか一項に記載のプラグ。
【発明の詳細な説明】
【技術分野】
【０００１】
本発明は、装置本体のジャックに着脱可能に装着されてジャックと通電するプラグであって、特に、ジャックとの電気的な接続状態（通電状態）を示す接点信号を出力可能なプラグに関する。
【背景技術】
【０００２】
携帯電話機、ＭＤプレーヤやＣＤプレーヤ等の携帯機器やオーディオ装置等の機器は、概ね、イヤホン、ヘッドフォン（ヘッドセット）、スピーカ等が使用され、これらのイヤホン等は、機器との接続にプラグとジャックとからなるコネクタが使用されている。
例えば、特許文献１には、ヘッドセットに繋がるケーブルに接続されたプラグ本体、およびジャックに差込み可能なチャンネルプラグを有し、プラグ本体に対して磁力に基づいて着脱可能であると共に装着した状態においてプラグ本体とチャンネルプラグとの間でオーディオ信号を伝達可能なアダプタとを備えたオーディオプラグが記載されている。
【先行技術文献】
【特許文献】
【０００３】
【特許文献１】特開２００５−２６７９４３号公報（請求項１、図２Ａ）
【発明の概要】
【発明が解決しようとする課題】
【０００４】
ここで、従来、プラグとジャックとの電気的な接続状態は、使用者が目視によりプラグとジャックとの機械的な接続状態を確認して判別する方法が一般的であった。つまり、プラグが所定の位置までジャックに挿入されているときは、プラグとジャックとが電気的に接続されていると判断していた。
【０００５】
しかし、例えば、いわゆる半差しと呼ばれるような、プラグとジャックとの機械的な接続状態が不安定な状態であっても、プラグとジャックとが電気的に接続されることがあるので、この方法は、正確であるとはいえない。
また、ジャックが機器に相当数設けられている場合、その全てについてプラグとの機械的な接続状態を目視で確認すると、手間や時間が掛かってしまう。
【０００６】
このように、プラグとジャックとの機械的な接続状態を目視により確認する方法では、プラグとジャックとの電気的な接続状態を正確に判別することが困難な場合があった。
このため、使用者がプラグとジャックとの機械的な接続状態を目視により確認する以外の方法で、プラグとジャックとの電気的な接続状態を容易に判別可能な機構の確立が望まれている。
また、このような機構は、プラグをジャックに着脱する度に行われる挿入・引き抜き操作や、プラグをジャックに装着した状態で一般的に行われるねじり操作（プラグを周方向に回転させる操作）に対する耐久性（耐摩耗性）を有する構造であることが望まれる。
なお、このねじり操作は、プラグとジャックとの電気的な接続状態の確認のため、または、音声ケーブルに接続されたプラグとオーディオ装置のジャックとの接触不良により生じるいわゆるガリ雑音が、音声信号に混入してしまうのを防止するために、事前に接触不良箇所を確認および排除する目的で一般的に行われている。
【０００７】
本発明は、以上のような問題点に鑑みてなされたものであり、プラグとジャックとの電気的な接続状態を示す接点信号を出力可能なプラグを提供することを課題とする。
【課題を解決するための手段】
【０００８】
本発明は、前記課題を達成するために創案されたものであり、まず、請求項１に記載されたプラグは、ジャックに着脱可能に装着され、先端側に設けた、前記ジャックと通電するための電極部と、前記電極部の内部に空間を形成して設けた接点信号発生部（筐体部）と、を備える差込部と、この差込部に連続して設け、前記電極部で通電した信号を送るケーブルを接続した本体部と、を備えるプラグであって、前記接点信号発生部は、その壁面に形成した開口部と、この開口部から一部が露出可能に前記空間内に収納された可動部材と、この可動部材の移動により押下されるスイッチと、を備え、前記可動部材は、前記ジャックから離脱したときには、前記スイッチから離間して前記開口部から一部が露出され、前記ジャックに装着されたときには、前記ジャック壁面に押されて前記スイッチを押下する大きさに形成され、前記スイッチは、前記空間内に付勢部材により付勢されて設けられ、前記付勢部材に抗して前記可動部材に押下されたときに、前記ジャックと通電したことを示す接点信号を出力することを特徴とする。
【０００９】
かかる構成によれば、差込部の接点信号発生部の可動部材は、ジャックから離脱したときには、スイッチから離間して開口部から一部が露出されスイッチを押下しない。一方、差込部の接点信号発生部の可動部材は、ジャックに装着されたときには、ジャック壁面に押されてスイッチを押下する。そして、空間内に付勢部材により付勢されて設けられたスイッチは、可動部材によって付勢部材に抗して押下されると、ジャックと通電したことを示す接点信号を出力する。そして、差込部が、ジャックに装着されたときには、電極部がジャックと通電し、通電した信号を本体部に接続したケーブルに送ることとなる。
これによれば、差込部がジャックに装着されているときは、接点信号を出力し、差込部がジャックから離脱されているときは、接点信号を出力しないため、プラグ（差込部）をジャックに装着する操作に対応させて、プラグとジャックとの電気的な接続状態を示す接点信号を出力することが可能となる。
【００１０】
また、請求項２に記載されたプラグは、請求項１に記載されたプラグにおいて、前記開口部は、前記壁面に形成した第一の開口部と、この第一の開口部から離間して前記壁面に形成した第二の開口部と、を備え、前記可動部材は、前記第一の開口部から一部が露出可能に前記空間内に収納された第一の球体と、前記第一の球体よりも前記スイッチに近接した位置で前記第一の球体と接し、前記第二の開口部から一部が露出可能に前記空間内に収納された第二の球体と、を備え、前記第一の球体は、前記ジャックから離脱したときには、前記開口部から一部が露出され、前記ジャックに装着されたときには、前記ジャック壁面に押されて前記空間内に収容されるとともに、前記第二の球体を前記スイッチ側へ押し出し、前記第二の球体は、前記第一の球体によって前記スイッチ側へ押し出された状態で前記ジャックに装着されたときには、前記ジャック壁面に押されて前記空間内に収容されるとともに、前記スイッチを押下することを特徴とする。
【００１１】
かかる構成によれば、差込部の接点信号発生部の第一の球体は、ジャックから離脱したときには、スイッチから離間して第一の開口部から一部が露出されてスイッチを押下しない。一方、第一の球体は、ジャックに装着されたときには、ジャック壁面に押されて空間内に収容されるとともに第二の球体をスイッチ側へ押し出し、第二の球体は、第一の球体によってスイッチ側へ押し出された状態でジャックに装着されたときには、ジャック壁面に押されて空間内に収容されるとともにスイッチを押下する。そして、空間内に付勢部材により付勢されて設けられたスイッチは、第二の球体によって付勢部材に抗して押下されたときに、ジャックと通電したことを示す接点信号を出力する。そして、差込部が、ジャックに装着されたときには、電極部がジャックと通電し、通電した信号を本体部に接続したケーブルに送ることとなる。
これによれば、差込部がジャックに装着されているときは、接点信号を出力し、差込部がジャックから離脱されているときは、接点信号を出力しないため、プラグ（差込部）をジャックに装着する操作に対応させて、プラグとジャックとの電気的な接続状態を示す接点信号を出力することが可能となる。
【００１２】
また、差込部の接点信号発生部の可動部材を、第一の球体と第二の球体としたことにより、差込部をジャックに着脱する際の抜き差し操作や、差込部をジャックに装着した状態でのねじり操作等において、第一の球体または第二の球体が回転しながらジャックの壁面と接触することとなるので、第一の球体または第二の球体とジャックの壁面との接触面の摩耗を抑制することができる。さらに、第一の球体または第二の球体と第一の開口部または第二の開口部との接触面の摩耗を抑制することができる。差込部の接点信号発生部をこのような構成としたことにより、プラグの抜き差し操作やねじり操作に対する耐久性を確保することができる。
【００１３】
また、請求項３に記載されたプラグは、請求項１に記載されたプラグにおいて、前記可動部材は、前記開口部から一部が露出可能に前記空間内に収納された球体であり、前記球体は、前記ジャックから離脱したときには、前記スイッチから離間して前記開口部から一部が露出され、前記ジャックに装着されたときには、前記ジャック壁面に押されて前記空間内に収容されるとともに前記スイッチを押下することを特徴とする。
【００１４】
かかる構成によれば、差込部の接点信号発生部の球体は、ジャックから離脱したときには、スイッチから離間して開口部から一部が露出されスイッチを押下しない。一方、球体は、ジャックに装着されたときには、ジャック壁面に押されて前記空間内に収容されるとともにスイッチを押下する。そして、空間内に付勢部材により付勢されて設けられたスイッチは、球体によって付勢部材に抗して押下されると、ジャックと通電したことを示す接点信号を出力する。そして、差込部が、ジャックに装着されたときには、電極部がジャックと通電し、通電した信号を本体部に接続したケーブルに送ることとなる。
これによれば、差込部がジャックに装着されているときは、接点信号を出力し、差込部がジャックから離脱されているときは、接点信号を出力しないため、プラグ（差込部）をジャックに装着する操作に対応させて、プラグとジャックとの電気的な接続状態を示す接点信号を出力することが可能となる。
【００１５】
また、差込部の接点信号発生部の可動部材を球体としたことにより、差込部をジャックに着脱する際の抜き差し操作や、差込部をジャックに装着した状態でのねじり操作等において、球体が回転しながらジャックの壁面と接触することとなるので、球体とジャックの壁面との接触面の摩耗を抑制することができる。さらに、球体と開口部との接触面の摩耗を抑制することができる。差込部の接点信号発生部をこのような構成としたことにより、プラグの抜き差し操作やねじり操作に対する耐久性を確保することができる。
【００１６】
また、請求項４に記載されたプラグは、請求項１に記載されたプラグにおいて、前記可動部材は、前記空間内に収納された複数の球体を備え、前記開口部は、前記球体の少なくとも一つの一部を前記壁面から露出可能な大きさに形成され、前記球体は、前記ジャックから離脱したときには、前記スイッチから離間して前記開口部から一部が露出され、前記ジャックに装着されたときには、前記ジャックの前記壁面に押されて前記スイッチを押下する大きさにそれぞれ形成されたことを特徴とする。
【００１７】
かかる構成によれば、差込部の接点信号発生部の少なくとも一つの球体は、ジャックから離脱したときには、スイッチから離間して開口部から一部が露出されスイッチを押下しない。一方、少なくとも一つの球体は、ジャックに装着されたときには、ジャック壁面に押されてスイッチを押下する。そして、空間内に付勢部材により付勢されて設けられたスイッチは、少なくとも一つの球体によって付勢部材に抗して押下されると、ジャックと通電したことを示す接点信号を出力する。そして、差込部が、ジャックに装着されたときには、電極部がジャックと通電し、通電した信号を本体部に接続したケーブルに送ることとなる。
これによれば、差込部がジャックに装着されているときは、接点信号を出力し、差込部がジャックから離脱されているときは、接点信号を出力しないため、プラグ（差込部）をジャックに装着する操作に対応させて、プラグとジャックとの電気的な接続状態を示す接点信号を出力することが可能となる。
【００１８】
また、差込部の接点信号発生部の可動部材を球体としたことにより、差込部をジャックに着脱する際の抜き差し操作や、差込部をジャックに装着した状態でのねじり操作等において、球体が回転しながらジャックの壁面と接触することとなるので、球体とジャックの壁面との接触面の摩耗を抑制することができる。さらに、球体と開口部との接触面の摩耗を抑制することができる。差込部の接点信号発生部をこのような構成としたことにより、プラグの抜き差し操作やねじり操作に対する耐久性を確保することができる。
【００１９】
また、請求項５に記載されたプラグは、請求項１から請求項４のいずれか一項に記載されたプラグにおいて、前記本体部は、前記スイッチから出力された接点信号を入力する接点信号入力部を介して、前記接点信号を表示する表示部を備えることを特徴とする。
【００２０】
かかる構成によれば、本体部は、接点信号入力部によって、差込部の接点信号発生部のスイッチから出力された接点信号を入力し、表示部によって、接点信号入力部に入力された接点信号を表示するため、使用者がこの表示部を目視することで、プラグとジャックとの電気的な接続状態をより容易に判別することができる。
【発明の効果】
【００２１】
本発明は、以下に示す効果を奏するものである。
請求項１〜４に記載された発明によれば、プラグとジャックとの電気的な接続状態を容易に判別することができる。
また、請求項２〜４に記載された発明によれば、プラグの差込部をジャックに着脱する際の抜き差し操作や、プラグの差込部をジャックに装着した状態でのねじり操作等に対する耐久性を確保することができる。
請求項５に記載された発明によれば、使用者がプラグとジャックとの電気的な接続状態をより容易に判別することができる。
【図面の簡単な説明】
【００２２】
【図１】本発明の第一実施形態に係るプラグの使用状態を説明するための概念図である。
【図２】本発明の第一実施形態に係るプラグにおける差込部の全体構成を示す平面図であり、一部を縦断面で示したものである。
【図３Ａ】本発明の第一実施形態に係るプラグにおける差込部の接点信号発生部の第一の球体と第二の球体とが正常に連動するときの一連の流れの第一段階の位置関係を例示したものである。
【図３Ｂ】本発明の第一実施形態に係るプラグにおける差込部の接点信号発生部の第一の球体と第二の球体とが正常に連動するときの一連の流れの第二段階の位置関係を例示したものである。
【図３Ｃ】本発明の第一実施形態に係るプラグにおける差込部の接点信号発生部の第一の球体と第二の球体とが正常に連動するときの一連の流れの第三段階の位置関係を例示したものである。
【図３Ｄ】本発明の第一実施形態に係るプラグにおける差込部の接点信号発生部の第一の球体と第二の球体とが正常に連動するときの一連の流れの第四段階の位置関係を例示したものである。
【図３Ｅ】本発明の第一実施形態に係るプラグにおける差込部の接点信号発生部の第一の球体と第二の球体とが正常に連動するときの位置関係の一例を概念的に示した図であり、一連の流れの第五段階を示したものである。
【図３Ｆ】本発明の第一実施形態に係るプラグにおける差込部の接点信号発生部の第一の球体と第二の球体とが正常に連動しないときの位置関係を例示したものである。
【図４】（ａ）、（ｂ）上図は、本発明の第一実施形態に係るプラグの差込部をジャックに嵌合するときの様子を説明するための図であり、下図は、上図にそれぞれ対応し、差込部の接点信号発生部の第一の球体と第二の球体との位置関係を示すものであり、差込部を下方から見たＡ−Ａ線断面図である。
【図５】（ａ）、（ｂ）上図は、図４（ｂ）に引き続いて、本発明の第一実施形態に係るプラグの差込部をジャックに嵌合するときの様子を説明するための図であり、下図は、上図にそれぞれ対応し、差込部の接点信号発生部の第一の球体と第二の球体との位置関係を示すものであり、差込部を下方から見たＸ−Ｘ線断面図である。
【図６】本発明の第二実施形態に係るプラグにおける差込部の全体構成を示す平面図であり、一部を縦断面で示したものである。
【図７Ａ】本発明の第一実施形態に係るプラグにおける差込部の接点信号発生部の第一の球体と第二の球体とが正常に連動するときの一連の流れの第一段階の位置関係を例示したものである。
【図７Ｂ】本発明の第一実施形態に係るプラグにおける差込部の接点信号発生部の第一の球体と第二の球体とが正常に連動するときの一連の流れの第二段階の位置関係を例示したものである。
【図７Ｃ】本発明の第一実施形態に係るプラグにおける差込部の接点信号発生部の第一の球体と第二の球体とが正常に連動するときの一連の流れの第三段階の位置関係を例示したものである。
【図７Ｄ】本発明の第一実施形態に係るプラグにおける差込部の接点信号発生部の第一の球体と第二の球体とが正常に連動するときの一連の流れの第四段階の位置関係を例示したものである。
【図８】（ａ）、（ｂ）上図は、本発明の第二実施形態に係るプラグの差込部をジャックに嵌合するときの様子を説明するための図であり、下図は、上図にそれぞれ対応し、差込部の接点信号発生部の球体の位置を示すものであり、差込部を下方から見た横断面図である。
【図９】（ａ）、（ｂ）は、本発明の変形例に係るプラグにおける差込部の構成を示す平面図である。
【図１０】本発明の第一実施形態に係るプラグの全体構成を示す平面図であり、本体部に表示部を設けた例を示した平面図である。
【発明を実施するための形態】
【００２３】
＜第一実施形態＞
以下、本発明の第一実施形態に係るプラグについて説明する。
図１に示すように、第一実施形態に係るプラグＰは、装置（例えばオーディオ装置）Ａの本体に設けられたジャック３０に着脱可能に装着されてジャック３０と通電する差込部１と、この差込部１に連続して設け、差込部１がジャック３０から取り出した信号を伝達するケーブルＣを接続した本体部２と、を備えている。ケーブルＣは、他端側が、プラグＰを介して、差込部１がジャック３０から取り出した信号を利用する機器（例えばスピーカ）Ｓに接続されている。第一実施形態に係るプラグＰは、差込部１にプラグＰとジャック３０との電気的な接続状態を示す情報である接点信号を出力する接点信号発生部１３（図２参照）を設けた点に特徴がある。このため、以下では、この差込部１について主に説明する。
【００２４】
なお、ここでは、オーディオ装置ＡおよびスピーカＳは、プラグＰの接点信号発生部（図２参照）で発生された接点信号を表示する接続表示部５０をそれぞれ備えている。後記するプラグＰの接点信号発生部１３（図２参照）で発生された接点信号が、ケーブルＣを介してオーディオ装置ＡまたはスピーカＳに出力されると、接続表示部５０で接点信号が表示され、これによって、使用者が、プラグＰとジャック３０との電気的な接続状態を判別可能となっている。
【００２５】
ここで、プラグＰの差込部１の説明に先立ち、差込部１が着脱可能に装着されるジャック３０の構成について図４を参照して簡単に説明する。
ジャック３０は、図４に示すように、オーディオ装置Ａの本体およびスピーカＳに設けられ、プラグＰの差込部１を着脱可能に装着し、装着状態でオーディオ装置Ａの本体（図１参照）によって生成された信号をプラグＰの差込部１に伝達するものである。
【００２６】
ジャック３０は、図４に示すように、プラグＰの差込部１が挿入される有底円筒状の挿入穴３１と、この挿入穴３１の開口端部３１ａを略垂直方向に外側に曲折させてなり、オーディオ装置Ａの本体およびスピーカＳの表面に沿って当接する当接部３２と、プラグＰの差込部１が挿入された状態で、差込部１の後記（図２参照）する電極部１１のスリーブ電極部１１ａと接触するスリーブ端子３３ａと、後記するリング電極部１１ｂと接触するリング端子３３ｂと、後記するチップ電極部１１ｃと接触するチップ端子３３ｃと、を有している。
【００２７】
各端子３３ａ〜３３ｃは、プラグＰの差込部１の後記する電極部１１の各電極部１１ａ〜１１ｃの配列に対応して、挿入穴３１の手前側（開口端部３１ａ側）から奥側に向かって、スリーブ端子３３ａ、リング端子３３ｂ、チップ端子３３ｃの順に配設されている。このように構成されたジャック３０は、プラグＰと適合するようになっている。例えば、プラグＰを、いわゆる１１０号プラグとした場合、このプラグＰに適合するジャック３０としては、例えば、２３８号Ａ、Ｂ、Ｃジャック等が該当する。
【００２８】
次に、プラグＰの差込部１の構成について説明する。
【００２９】
図２に示すように、差込部１は、先端側に設けた、オーディオ装置Ａの本体（図１参照）に設けられたジャック３０（図１参照）と通電するための電極部１１と、電極部１１の内部に空間を形成して設けた接点信号発生部１３と、本体部２に接続される接続部１９と、を主に備えている。なお、以下の説明で、上下方向は、紙面の方向と同じとする。
【００３０】
電極部１１は、差込部１の基端側から先端側に向かって、円筒状のスリーブ電極部１１ａ、円筒状のリング電極部１１ｂ、有底円筒状のチップ電極部１１ｃ、の順で配列された３つのセグメントを有している。各電極部１１ａ〜１１ｃの間には、絶縁リング１１ｄが介在されており、各電極部１１ａ〜１１ｃが互いに電気的に絶縁されるようになっている。この各電極部１１ａ〜１１ｃおよび絶縁リング１１ｄは、ジャック３０の挿入穴３１（図４参照）の径と略同等か、若干小さい径で形成されている。
【００３１】
また、電極部１１は、さらに、スリーブ電極部１１ａの上端側に連続して、各電極部１１ａ〜１１ｃよりも拡径した拡径部１２を備えている。この拡径部１２は、各電極部１１ａ〜１１ｃがジャック３０の挿入穴３１（図４参照）に装着された状態で、開口端部３１ａ（図４参照）から突出する部分となる。拡径部１２は、下端部１２ａが略平坦に形成されており、各電極部１１ａ〜１１ｃがジャック３０の挿入穴３１（図４参照）に挿入されると、この下端部１２ａがジャック３０の当接部３２（図４参照）に当接し、その位置で差込部１を係止するようになっている。
【００３２】
電極部１１は、差込部１が、後記するジャック３０の挿入穴３１に挿入されると、スリーブ電極部１１ａが、ジャック３０に設けられたスリーブ端子３３ａ（図４参照）に接触し、リング電極部１１ｂが、ジャック３０に設けられたリング端子３３ｂ（図４参照）に接触し、チップ電極部１１ｃが、ジャック３０に設けられたチップ端子３３ｃ（図４参照）に接触して互いに電気的に接続されるようになっている。
【００３３】
接点信号発生部１３は、電極部１１の内部に空間を形成して設けられ、マイクロスイッチ１４（スイッチ）と、電極部１１の壁面に形成した第一の開口部１５ａ（開口部）と、この第一の開口部１５ａから離間して電極部１１の壁面に形成した第二の開口部１５ｂ（開口部）と、第一の開口部１５ａから一部が露出可能に空間内に収納された第一の球体１６ａ（可動部材）と、第一の球体１６ａよりもマイクロスイッチ１４に近接した位置で第一の球体１６ａと接し、第二の開口部１５ｂから一部が露出可能に空間内に収納された第二の球体１６ｂ（可動部材）と、を備えている。
【００３４】
マイクロスイッチ１４は、拡径部１２内の空間を横切るように水平方向に延びる案内板１７ａの下端側に固定部材（図示せず）を介して固定されており、支持板１７ａに沿って固定される固定電極部１４ａと、この固定電極部１４ａに対して可動する可動電極部１４ｂと、を備えている。この固定電極部１４ａと可動電極部１４ｂは、それぞれ、可動電極部１４ｂの変位に応じて接離する接点（図示せず）を備えている。
【００３５】
可動電極部１４ｂは、内部から図示しない付勢部材によって下方に付勢されて固定電極部１４ａの表面から所定量突出した状態で静止しており、第二の球体１６ｂによって、先端部に鉛直上向きの押圧力が加えられると、固定電極部１４ａ側に押圧され、この押圧力が解除されると、付勢部材の復元圧によって元の位置に復元するようになっている。なお以下では、可動電極部１４ｂが固定電極部１４ａ側に押圧されることを、可動電極部１４ｂが固定電極部１４ａ側に押し下げられると表現する。
【００３６】
また、マイクロスイッチ１４は、図示しない回路部を有している。この回路部は、固定電極部１４ａと可動電極部１４ｂにそれぞれ設けられた接点（図示せず）が接触して生じた電流を流入することによって起動すると共に、接点信号を出力するようになっている。
このように構成されたマイクロスイッチ１４は、可動電極部１４ｂの先端部に鉛直上向きの押圧力が加えられて、可動電極部１４ｂが所定のストロークだけ固定電極部１４ａ側に押下されると、互いの接点（図示せず）が接触してＯＮ状態となる（通電状態）と共に、図示しない回路部に電流が流れて、回路部（図示せず）が接点信号を出力するようになっている。      
【００３７】
一方、この状態から、マイクロスイッチ１４の可動電極部１４ｂの先端部に加えられた鉛直上向きの押圧力が解除されると、可動電極部１４ｂが付勢部材の復元力によって押し戻されて元の位置に復元する。これによって、マイクロスイッチ１４はＯＦＦ状態となり、回路部（図示せず）に電流が流れないので、回路部（図示せず）が接点信号を出力しなくなる。
【００３８】
なお、ここでは、マイクロスイッチ１４の可動電極部１４ｂが所定のストロークだけ固定電極部１４ａ側に押下されたときには、接点信号を出力し、それ以外のときは、接点信号を出力しないこととしたが、これに限られず、マイクロスイッチ１４の可動電極部１４ｂが所定のストロークだけ固定電極部１４ａ側に押下されたときには、プラグＰとジャック３０（図１参照）とが電気的に接続されていることを示す接点信号を出力し、それ以外のときは、プラグＰとジャック３０（図１参照）とが電気的に接続されていないことを示す接点信号（断信号）を出力するようにしてもよいことはもちろんである。つまり、マイクロスイッチ１４は、ＯＮ状態のときとＯＦＦ状態のときとで異なる接点信号を出力することとしてもよい。
【００３９】
第一の開口部１５ａと第二の開口部１５ｂは、電極部１１のスリーブ電極部１１ａの壁面の一部を矩形状や楕円状に切り欠いて形成されており、接点信号発生部１３の内部と外部とを連通するものである。第一の開口部１５ａは、第一の球体１６ａの一部を壁面から露出可能な大きさに形成され、第二の開口部１５ｂは、第二の球体１６ｂの一部を壁面から露出可能な大きさに形成されている。
【００４０】
この第一の開口部１５ａと第二の開口部１５ｂは、スリーブ電極部１１ａの壁面における対向する位置に設けられている。さらに、第一の開口部１５ａと第二の開口部１５ｂは、スリーブ電極部１１ａの壁面における高さ位置が異なっており、第一の開口部１５ａよりも第二の開口部１５ｂの方がマイクロスイッチ１４に近接する位置に形成されている。
【００４１】
また、第一の開口部１５ａの下端部には、接点信号発生部１３の空間内（スリーブ電極部１１ａの空間内）を横断するように水平方向に配設され、第一の球体１６ａを案内する案内板１７ｂが設けられている。
【００４２】
第一の球体１６ａは、ジャック３０の挿入穴３１（図４参照）から離脱したときには、一部が、第一の開口部１５ａから露出し、他部が、案内板１７ｂに当接した状態で、接点信号発生部１３の空間内に保持されている。
また、第二の球体１６ｂは、ジャック３０の挿入穴３１（図４参照）から離脱したときには、一部が、第二の開口部１５ｂから露出し、他部が第一の球体１６ａに当接した状態で、接点信号発生部１３の内部の空間内に保持されている。また、この状態で、第二の球体１６ｂは、マイクロスイッチ１４の可動電極部１４ｂの先端部と、所定距離を空けて近接している。
【００４３】
第一の球体１６ａと第二の球体１６ｂは、ジャック３０の挿入穴３１（図４参照）から離脱したときには、次のような位置関係となる。第一の球体１６ａは、第一の開口部１５ａから一部が露出され、第二の球体１６ｂは、第二の開口部１５ｂから一部が露出された状態で接点信号発生部１３の内部で互いに接しており、第一の球体１６ａと第二の球体１６ｂとは、点対称に向き合った位置で静止している。
【００４４】
この第一の球体１６ａは、第一の開口部１５ａとの接点（支点Ｐ１〔図３Ａ〜Ｅ参照〕）と、第二の球体１６ｂとの接点Ｐ２（図３Ａ〜Ｅ参照）とにより接点信号発生部１３の内部で保持されている。また、第二の球体１６ｂは、第二の開口部１５ｂとの接点（支点Ｐ３〔図３Ａ〜Ｃ参照〕）と、第一の球体１６ａとの接点Ｐ２（図３Ａ〜Ｅ参照）とにより接点信号発生部１３の内部で保持されている。
【００４５】
この状態から、第一の球体１６ａが、ジャック３０の挿入穴３１（図４参照）に挿入されたときには、ジャック３０の挿入穴３１の壁面３１ｂ（図４参照）に押圧されて接点信号発生部１３の内部の空間内に収納され、第二の球体１６ｂをマイクロスイッチ１４の可動電極部１４ｂ側へ押圧するようになっている。そして、この状態から、第二の球体１６ｂが、ジャック３０の挿入穴３１（図４参照）に挿入されたときには、ジャック３０の挿入穴３１（図４参照）の壁面３１ｂに押されて接点信号発生部１３の内部の空間内に収納され、マイクロスイッチ１４の可動電極部１４ｂを鉛直上向きに押圧し、可動電極部１４ｂを所定のストロークだけ固定電極部１４ａ側へ押下するようになっている。
【００４６】
第一の球体１６ａは、ジャック３０の挿入穴３１（図４参照）から離脱したときには、第一の開口部１５ａから一部が露出され、ジャック３０の挿入穴３１（図４参照）に装着されたときには、ジャック３０の挿入穴３１の壁面３１ｂ（図４参照）に押されて、第二の球体１６ｂをマイクロスイッチ１４の可動電極部１４ｂ側へと押下する大きさに形成され、第二の球体１６ｂは、ジャック３０の挿入穴３１（図４参照）から離脱したときには、マイクロスイッチ１４の可動電極部１４ｂから離間して第二の開口部１５ｂから一部が露出され、ジャック３０の挿入穴３１に装着されたときには、ジャック３０の挿入穴３１の壁面３１ｂ（図４参照）に押されて、マイクロスイッチ１４の可動電極部１４ｂを所定のストロークだけ固定電極部１４ａ側へと押下する大きさに形成されている。ここでは、第一の球体１６ａと第二の球体１６ｂとが同じ大きさであるものとする。
【００４７】
次に、図３Ａ〜Ｅを参照して、差込部１をジャック３０に挿入したときに、第一の球体１６ａと第二の球体１６ｂとが協働してマイクロスイッチ１４の可動電極部１４ｂを所定のストロークだけ固定電極部１４ａ側に押下するときの、つまり、第一の球体１６ａと第二の球体１６ｂとが正常に動作するときの好適な設定例について説明する。なお、この例では、第一の球体１６ａと第二の球体１６ｂとが同寸法であるものとする。
【００４８】
図３Ａに示すように、第一の球体１６ａと第二の球体１６ｂの径をｒ１とし、接点信号発生部１３の内径をＲとすると、次の式（１）に示す関係が成立している。なお、接点信号発生部１３の内径Ｒは、ジャック３０の挿入穴３１の径と略同等か若干小さくなっている。
【００４９】
（数１）
３／４Ｒ≦ｒ１＜Ｒ      ・・・式（１）
【００５０】
また、式（１）で示すように、第一の球体１６ａおよび第二の球体１６ｂの径ｒ１を、接点信号発生部１３の半径、つまり、１／２Ｒよりも大きく形成すると、第一の球体１６ａの一部が第一の開口部１５ａに係合され、第二の球体１６ｂの一部が第二の開口部１５ｂに係合された状態で第一の球体１６ａと第二の球体１６ｂとが接点Ｐ２で接した状態で互いに押圧し合いながら接点信号発生部１３内に保持される。これにより、第一の球体１６ａの動きを第二の球体１６ｂに伝えやすくなる。
【００５１】
また、第一の球体１６ａにおいて、差込部１をジャック３０の挿入穴３１に挿入したときに開口端部３１ａと接触して鉛直上向きの押圧力が入力される点を支点Ｐ１とする。図３Ａの状態（静止状態）において、第一の球体１６ａは、支点Ｐ１と第一の球体１６ａの中心Ｏ１とを結んだ線と、中心Ｏ１から鉛直下向きに下ろした線とでなす角度が４５°＜θ１＜９０°となるように、第一の開口部１５ａから一部が露出している。すなわち、第一の球体１６ａの支点Ｐ１は、図３Ａに示す静止状態から矢印Ａ１方向に回動して図３Ｃに示すように接点信号発生部１３の内部に収容されて静止するまでの間に、４５°＜θ１＜９０°の範囲で回動する。これは、差込部１をジャック３０に挿入したときに、第一の球体１６ａが正常に動作する場合の支点Ｐ１の回動範囲を示している。
【００５２】
さらに、図３Ａ〜Ｃに示すように、接点Ｐ２と、第二の球体１６ｂにおいて接点信号発生部１３に支持される点（図３Ａ〜Ｃでは第二の開口部１５ｂとの接点である支点Ｐ３）とを通る線でなる面を境として第二の球体１６ｂを上下の領域に分けた場合に、第二の球体１６ｂの中心Ｏ２が、上側の領域（図３Ａ〜Ｃにおいてドットで示した領域）内に位置している。
これにより、第一の球体１６ａと第二の球体１６ｂの接点Ｐ２を介して、第一の球体１６ａから第二の球体１６ｂへと押圧力が適切に伝えられ、第一の球体１６ａを、第二の球体１６ｂをマイクロスイッチ１４側へと押し上げつつ、図３Ａに示す矢印Ａ１方向に回動させることができる。
【００５３】
図３Ａに示すように、第一の球体１６ａは、支点Ｐ１に開口端部３１ａから鉛直上向きの押圧力が入力されると、図３Ｂに示すように、この押圧力を接点Ｐ２を介して第二の球体１６ｂに伝えて、第二の球体１６ｂをマイクロスイッチ１４側へと押し上げながら、案内板１７ｂに沿って図３Ａに示す矢印Ａ１方向、つまり、接点信号発生部１３の内部に向かって移動する。また、第二の球体１６ｂは、第一の球体１６ａが接点信号発生部１３の内部に向かって移動するのにともない、接点信号発生部１３の内部側へと押圧される。
【００５４】
そして、図３Ｃに示すように、第一の球体１６ａの全体が接点信号発生部１３の内部に収容されるとともに、挿入穴３１の壁面３１ｂによって第一の開口部１５ａが閉じられる。そして、第一の球体１６ａは、壁面３１ｂから支点Ｐ１に伝えられた押圧力と、第二の球体１６ｂから接点Ｐ２に伝えられた押圧力とにより接点信号発生部１３の内部で保持される。この一連の動きにおいて、図３Ａ〜Ｃに示すように、第一の球体１６ａの支点Ｐ１の回動範囲は、中心Ｏ１から支点Ｐ１に向かって下ろした線と中心Ｏ１から鉛直方向に下ろした線Ｌ１とでなす角度をθ１としたときに、４５°＜θ１＜９０°となる。
【００５５】
続いて、第二の球体１６ａにおいて開口端部３１ａと接触して鉛直上向きの押圧力が入力される点を支点Ｐ４とし、中心Ｏ２と支点Ｐ４とを結んだ線と、第二の球体１６ｂの中心Ｏ２から鉛直下向きに下ろした線と、でなす角度をθ２とする。このとき、図３Ｃに示した状態において、第二の球体１６ｂは、４５°＜θ２＜９０°となるように、第二の開口部１５ｂから一部が露出している。すなわち、第二の球体１６ｂの支点Ｐ４は、図３Ｃに示した状態から、図３Ｄに示す矢印Ａ２方向に回動して、図３Ｅに示したようにマイクロスイッチ１４の可動電極部１４ｂを所定のストロークだけ押下するまでに、４５°＜θ２＜９０°の範囲内で回動する。これは、差込部１をジャック３０に挿入したときに、第二の球体１６ｂが正常に動作する場合の支点Ｐ４の回動範囲を示している。
【００５６】
さらに、図３ＤおよびＥに示すように、第一の球体１６ａと第二の球体１６ｂとの接点Ｐ２と、第二の球体１６ｂにおいて接点信号発生部１３に支持される点（図３Ｄでは第二の開口部１５ｂとの接点である支点Ｐ３、図３Ｅでは壁面３１ｂとの接点である支点Ｐ４）とを通る線でなる面を境として第二の球体１６ｂを上下の領域に分けた場合に、第二の球体１６ｂの中心Ｏ２が、上側の領域（図３Ｄ、Ｅにおいてドットで示した領域）内に位置している。
【００５７】
図３Ｃにおいて、第二の球体１６ｂは、接点Ｐ２と支点Ｐ３とマイクロスイッチの可動電極部１４ｂの三点により支持されて、接点信号発生部１３の内部で保持されている。この状態から、プラグＰの差込部１がジャック３０の挿入穴３１にさらに挿入されると、図３Ｄに示すように、第二の球体１６ｂにおいて、開口端部３１ａと接触する支点Ｐ４に、開口端部３１ａから鉛直上向きの押圧力が入力されると、第二の球体１６ｂは、この押圧力によりマイクロスイッチ１４側へと押し上げられる。
【００５８】
そして、プラグＰの差込部１がジャック３０の挿入穴３１にさらに挿入されると、図３Ｅに示すように、第二の球体１６ｂは、開口端部３１ａから支点Ｐ４に入力された押圧力によりさらにマイクロスイッチ１４側へと押し上げられる。これとともに、ジャック３０の挿入穴３１の壁面３１ｂによって第二の開口部１５ｂが完全に閉じられることで、第二の球体１６ｂが、壁面３１ｂによって接点信号発生部１３の内部側へと押圧され、マイクロスイッチ１４の可動電極部１４ｂを所定のストロークだけ固定電極部１４ａ側に押下する。
この一連の動きにおいて、図３Ｄ〜Ｅに示すように、第二の球体１６ｂの支点Ｐ４の回動範囲は、中心Ｏ１から支点Ｐ４に向かって下ろした線と中心Ｏ１から鉛直方向に下ろした線とでなす角度をθ２としたときに、４５°＜θ２＜９０°となる。
【００５９】
また、第二の球体１６ｂは、図３Ａ〜Ｅに示したように、第一の球体１６ａの支点Ｐ１に開口端部３１ａから押圧力が入力され始めてから、第二の球体１６ｂによりマイクロスイッチ１４の可動電極部１４ｂを所定のストロークだけ押下するまでの一連の動作に応じて第二の球体１６ｂを支持する点（接点Ｐ２と支点Ｐ３あるいは支点Ｐ４）の位置が変化されても、常に、重心位置（中心Ｏ２の位置）が前記した上側の領域に位置している。
【００６０】
以上説明した例によれば、第一の球体１６ａと第二の球体１６ｂとが正常に動作し、第一の球体１６ａと第二の球体１６ｂとが協働してマイクロスイッチ１４の可動電極部１４ｂを所定のストロークだけ固定電極部１４ａ側に押下することができる。
【００６１】
一方、例えば、図３Ｆに示すように、第一の球体１６ａと第二の球体１６ｂとの接点Ｐ２と、第二の球体１６ｂと第二の開口部１５ｂの接点である支点Ｐ３とを結んだ線でなる面を境として第二の球体１６ｂを上下の領域に分けた場合において、第二の球体１６ｂの中心Ｏ２が、下側の領域内に位置していると、第二の球体１６ｂの重心位置が下がってしまう。このため、第一の球体１６ａの支点Ｐ１に開口端部３１ａから押圧力が加えられても、第一の球体１６ａが、第二の球体１６ｂをマイクロスイッチ１４側へと押し上げることができず、図３Ａに示す矢印Ａ１方向に適切に移動させることができない。
【００６２】
このような第一の球体１６ａと第二の球体１６ｂの素材は特に限定されないが、接点信号発生部１３をジャック３０の挿入穴３１（図４参照）へ脱着する際に、第一の球体１６ａまたは第二の球体１６ｂが、第一の開口部１５ａまたは第二の開口部１５ｂと接触することによる接触面の摩耗を抑制するため、接点信号発生部１３の壁面（スリーブ電極部１１ａの壁面）と同じ素材で製造するとよい。
【００６３】
再び図２を参照し、接点信号発生部１３は、内部に、上端側から下端側まで連続する内部が空洞の空孔部１８を有している（図４参照）。この空孔部１８は、内部に導電線を挿通するものであり、ここでは、接点信号発生部１３の内部に２箇所設けられている。この２つの空孔部１８は、接点信号発生部１３の壁面（スリーブ電極部１１ａの壁面）における、第一の開口部１５ａと第二の開口部１５ｂと重ならない位置に、対向して配設されている。ここでは、一方の空孔部１８には、電極部１１のスリーブ電極部１１ａに導かれるスリーブ導線４１が配線され、他方の空孔部１８には、電極部１１のチップ電極部１１ｃに導かれるチップ導線４２が配線されている。
【００６４】
接続部１９は、差込部１を本体部２に接続するものであり、差込部１の先端部に設けられ、外周面に雄ねじが形成された円筒状部材である。接続部１９は、本体部２（図１参照）に設けられた、雄ねじと対応する雌ねじが形成された被接続部（図示せず）と螺合されるようになっている。このようにして、差込部１と本体部２とを備えるプラグＰが形成される。この接続部１９の雄ねじと被接続部の雌ねじでなるねじは、例えば、ＪＩＳＢ０２０５に規定されたメートル並目ねじとすることができる。
【００６５】
また、接続部１９は、空洞部１９ａに、ケーブルＣの一端側を挿通し、接続部１９の下端側に設けられた接点信号発生部１３に導いている。
このケーブルＣは、一端側が、マイクロスイッチ１４に接続され、他端側が、本体部２（図示せず）を挿通した後、オーディオ装置Ａ（図１参照）で生成された音声信号を利用する機器に接続されている。ケーブルＣは、差込部１がジャック３０から取り出した音声信号を、この音声信号を利用する機器（図示せず）に伝達可能となっている。オーディオ装置Ａ（図１参照）で生成された音声信号を利用する機器としては、例えば、スピーカ、イヤホン、ヘッドフォン等が該当する。また、ケーブルＣは、マイクロスイッチ１４から出力された接点信号を、前記したスピーカ、イヤホン、ヘッドフォン等に出力可能となっている。
【００６６】
次に、図４、５および適宜図３Ａ〜Ｅを参照して、第一実施形態に係るプラグＰの差込部１をジャック３０に装着する様子について説明する。
まず、図４（ａ）上図に示すように、差込部１をジャック３０の上方に配置し、電極部１１側からジャック３０の挿入穴３１に挿入していく。
このとき、図４（ａ）下図に示すように、第一の球体１６ａと第二の球体１６ｂは、それぞれ静止状態の位置にある。
【００６７】
なお、図４（ａ）の下図では、差込部１を下端部側（電極部１１側）から見上げた状態を示しているので、第二の球体１６ｂが第一の球体１６ａの下方に位置している。また、図４（ａ）の下図では、見易さのため、第一の球体１６ａおよび第２の球体１６ｂを断面で表示しないこととした。以下に参照する図４（ｂ）、図５（ａ）、（ｂ）においても、同様とする。
【００６８】
この状態で、差込部１をジャック３０の挿入穴３１にさらに挿入していくと、図４（ｂ）上図および図３Ａに示すように、ジャック３０の挿入穴３１の開口端部３１ａが、第一の球体１６ａの支点Ｐ１に接触し、第一の球体１６ａの支点Ｐ１に開口端部３１ａから鉛直上向きの押圧力を入力する。これにより、第一の球体１６ａが接点信号発生部１３の内部側に押圧される。このとき、図４（ｂ）下図に示すように、第一の球体１６ａと第二の球体１６ｂは、それぞれ静止状態の位置にある。
【００６９】
そして、差込部１を、ジャック３０の挿入穴３１にさらに挿入すると、図５（ａ）上図および図３Ｃに示すように、第一の球体１６ａは、支点Ｐ１に開口端部３１ａから押圧力が入力されることで、第二の球体１６ｂを押し上げながら案内板１７ｂに沿って接点信号発生部１３の内部側へとさらに移動する。差込部１を、ジャック３０の挿入穴３１にさらに挿入すると、図５（ａ）下図に示すように、第一の球体１６ａの全体が、接点信号発生部１３の内部に収納される。このとき、第一の球体１６ａは、支点Ｐ１により、ジャック３０の挿入穴３１の壁面３１ｂと当接するため、この壁面３１ｂから支点Ｐ１に接点信号発生部１３の内部側への押圧力が入力されるとともに、接点Ｐ２を介して第二の球体１６ｂからの押圧力が入力される。このようにして、第一の球体１６ａは、接点信号発生部１３の内部で静止する。
【００７０】
そして、差込部１を、ジャック３０の挿入穴３１にさらに挿入すると、図５（ａ）上図および図３Ｄに示すように、ジャック３０の挿入穴３１の開口端部３１ａが第二の球体１６ｂの支点Ｐ４に接触し、支点Ｐ４に開口端部３１ａから鉛直上向きの押圧力を入力する。第二の球体１６ｂは、この押圧力により、マイクロスイッチ１４側へと押し上げられる。
【００７１】
この状態で、差込部１を、ジャック３０の挿入穴３１にさらに挿入すると、図５（ｂ）上図、下図および図３Ｅに示すように、ジャック３０の挿入穴３１の壁面３１ｂで第二の開口部１５ｂが徐々に閉じられていき、第二の球体１６ｂが、壁面３１ｂによって接点信号発生部１３の内部側に押圧されるとともに、第一の球体１６ａと接点Ｐ２で当接しながらマイクロスイッチ１４の可動電極部１４ｂ側へと押し上げられていき、やがて全体が接点信号発生部１３の内部に収納されて、マイクロスイッチ１４の可動電極部１４ｂを鉛直上向きに押圧する。そして、第二の球体１６ｂによって、マイクロスイッチ１４の可動電極部１４ｂが所定のストロークだけ固定電極部１４ａ側に押下される。
【００７２】
これにより、マイクロスイッチ１４の可動電極部１４ｂの接点（図示せず）と、固定電極部１４ａの接点（図示せず）とが互いに接触してマイクロスイッチ１４がＯＮ状態（通電状態）となり、回路部に電流が流れることによって回路部（図示せず）が起動し、この回路部（図示せず）からプラグＰとジャック３０とが電気的に接続されていることを示す接点信号が出力される。
【００７３】
また、このとき、第二の開口部１５ｂがジャック３０の挿入穴３１の壁面３１ｂによって完全に閉じられているため、第二の球体１６ｂは、第二の開口部１５ｂから露出した部分でジャック３０の挿入穴３１の壁面３１ｂと当接し、ジャック３０の挿入穴３１の壁面３１ｂによって、接点信号発生部１３の内部の空間内へと押圧され続けることになる。このため、図５（ｂ）上図の状態が維持される場合、第二の球体１６ｂにより、マイクロスイッチ１４がＯＮ状態を継続し、接点信号を継続して出力する。
例えば、差込部１がジャック３０の挿入穴３１に挿入された状態で、ねじり操作を行ったとしても、第一の球体１６ａと第二の球体１６ｂは、位置を変えずにその場でそれぞれ回転するため、第一の球体１６ａと、第二の球体１６ｂと、マイクロスイッチ１４の可動電極部１４ｂとの位置関係は変化しない。したがって、差込部１が、ジャック３０の挿入穴３１に挿入されている間は、マイクロスイッチ１４がＯＮ状態を継続し、接点信号を継続して出力する。
【００７４】
また、この状態で、図５（ｂ）上図に示すように、電極部１１のスリーブ電極部１１ａが、ジャック３０に設けられたスリーブ端子３３ａと接触し、電極部１１のリング電極部１１ｂが、ジャック３０に設けられたリング端子３３ｂと接触し、電極部１１のチップ電極部１１ｃが、ジャック３０に設けられたチップ端子３３ｃと接触して電気的に接続される。
これにより、プラグＰがオーディオ装置Ａの本体（図１参照）で生成された音声信号をジャック３０から取り出すことが可能となる。
【００７５】
また、この状態で、差込部１は、拡径部１２の下端部１２ａがジャック３０の挿入穴３１の当接部３２に当接してその位置で係止される。
【００７６】
一方、差込部１をジャック３０から取り外すときは、差込部１は、挿入時の動作を逆向きにたどって動作する。このとき、図５（ｂ）の段階で、第二の球体１６ｂがマイクロスイッチ１４の可動電極部１４ｂから離れているため、可動電極部１４ｂは、図示しない付勢部材の復元力によって固定電極部１４ａから離間する方向に押し戻されて元の位置に復元する。これによって、マイクロスイッチ１４はＯＦＦ状態となり、回路部（図示せず）に電流が流れなくなるので、接点信号を出力しない。
【００７７】
ここで、差込部１のマイクロスイッチ１４から出力された接点信号は、例えば、ケーブルＣを介して、ケーブルＣの他端部が接続されるスピーカＳ（図１参照）に出力され、スピーカＳに設けた接続表示部５０（図１参照）に表示されることによって、使用者が確認することが可能となる。例えば、この接続表示部５０（図１参照）を例えばＬＥＤで構成し、差込部１のマイクロスイッチ１４からケーブルＣを介して接点信号が入力されたときには、スピーカＳ（図１参照）において、この接続表示部５０（図１参照）を点灯あるいは点滅させ、差込部１のマイクロスイッチ１４からケーブルＣを介して接点信号が入力されていないときには、接続表示部５０（図１参照）を消灯させるように制御する。これにより、接点信号が可視化されるので、使用者がプラグＰＡとジャック３０との電気的な接続状態を容易に判別することができる。
なお、接続表示部５０は、接点信号が入力されていないときは、常時点灯し、接点信号が入力されると消灯するようになっていてもよい。
【００７８】
そして、使用者は、この接続表示部５０（図１参照）を目視して得られた情報を基に、スピーカＳ（図１参照）のＯＮ／ＯＦＦを切り替えることができる。例えば、前記した例では、接続表示部５０（図１参照）が点灯あるいは点滅しているときには、プラグＰとジャック３０とが電気的に接続されている、つまり、プラグＰが、ジャック３０から音声信号を取り出すことができる状態である、ということがわかるので、使用者が、スピーカＳ（図１参照）をＯＮして、オーディオ装置Ａ（図１参照）で生成された音声信号を確認することができる。
一方、接続表示部５０（図１参照）が消灯しているときには、プラグＰとジャック３０とが電気的に接続されていないことがわかるので、使用者が、スピーカＳ（図１参照）をＯＦＦする。このようにして、使用者が、差込部１のマイクロスイッチ１４から出力され、スピーカＳ（図１参照）の接続表示部５０（図１参照）に表示された接点信号に応じて、プラグＰに接続して使用する機器のＯＮ／ＯＦＦを制御することができる。
【００７９】
以上説明した第一実施形態に係るプラグＰによれば、差込部１のマイクロスイッチ１４から接点信号を出力することができるので、使用者が、プラグＰとジャック３０とが電気的に接続されているか否かを容易に判別することが可能となる。
また、接点信号発生部１３において、可動部材を、第一の球体１６ａと第二の球体１６ｂとしたことにより、差込部１をジャック３０の挿入穴３１に着脱する際の抜き差し操作や、差込部１をジャック３０の挿入穴３１に挿入した状態でのねじり操作等において、第一の球体１６ａと第二の球体１６ｂが回転しながら挿入穴３１の壁面３１ｂと接触するので、第一の球体１６ａまたは第二の球体１６ｂと、挿入穴３１の壁面３１ｂと、の接触面の摩耗を抑制することができる。さらに、第一の球体１６ａまたは第二の球体１６ｂと、接点信号発生部１３の壁面１３ａ（スリーブ電極部１１ａの壁面）との、接触面の摩耗を抑制することができる。
また、可動部材を、第一の球体１６ａと第二の球体１６ｂの二つの球体としたことにより、マイクロスイッチ１４の可動電極部１４ｂを押下するストロークを長くすることができる。
【００８０】
＜第二実施形態＞
次に、本発明の第二実施形態に係るプラグについて説明する。
図１に示すように、第二実施形態に係るプラグＰＡは、装置（例えばオーディオ装置）Ａの本体に設けられたジャック３０に着脱可能に装着されてジャック３０と通電する差込部１Ａと、この差込部１Ａに連続して設け、差込部１Ａがジャック３０から取り出した信号を伝達するケーブルＣを接続した本体部２と、を備えている。ケーブルＣは、他端部が、差込部１Ａがジャック３０から取り出した信号を利用する機器（例えばスピーカＳ）に接続されている。
第二実施形態に係るプラグＰＡは、第一実施形態に係るプラグに対し、差込部の接点信号発生部の構成が異なる。以下では、その他の第一実施形態と共通する構成は、同じ符号を付し、適宜説明を省略する。また、第一実施形態と同様に、プラグＰＡの差込部１Ａについて、主に説明する。次に、第２実施形態に係るプラグＰＡの詳細な構成について、図６を参照して説明する。
【００８１】
図６に示すように、プラグＰＡの差込部１Ａは、先端側に設けた、オーディオ装置Ａの本体（図１参照）に設けられたジャック３０（図４参照）と通電するための電極部１１と、電極部１１の内部に空間を形成して設けた接点信号発生部１３Ａと、本体部２に接続される接続部１９と、を主に備えている。
【００８２】
差込部１Ａの接点信号発生部１３Ａは、電極部１１の内部に空間を形成して設けられ、壁面に形成した開口部１５ｃと、この開口部１５ｃから一部が露出可能に空間内に収納された球体１６ｃ（可動部材）と、を備えている。
【００８３】
開口部１５ｃは、スリーブ電極部１１ａの壁面の一部を矩形状や楕円状に切り欠いて形成されており、接点信号発生部１３の内部と外部とを連通するものである。開口部１５ｃは、球体１６ｃの一部を壁面から露出可能な大きさに形成されている。
この開口部１５ｃの下端部には、接点信号発生部１３の内部の空間を横断するように配設され、球体１６ｃを案内する案内板１７Ａｂが設けられている。
【００８４】
案内板１７Ａｂは、開口部１５ｃの下端側から、球体１６ｃの形状に沿ったアールを有して形成され、球体１６ｃがジャック３０の挿入穴３１に挿入されたときには、球体１６ｃをマイクロスイッチ１４の可動電極部１４ｂへと案内し、可動電極部１４ｂを所定のストロークだけ固定電極部１４ａ側へと押下可能なように、開口部１５ｃから離れるにつれて徐々にマイクロスイッチ１４側へと傾斜して立ち上って延びた後、拡径部１２の内壁面と接続される。
【００８５】
球体１６ｃは、ジャック３０の挿入穴３１から離脱したときには、一部が、開口部１５ｃから露出し、他部が、案内板１７Ａｂに当接した状態で、接点信号発生部１３の内部の空間内に保持されている。この状態で、球体１６ｃは、マイクロスイッチ１４の可動電極部１４ｂの先端部と、所定距離離間して近接している。
【００８６】
次に、図７Ａ〜Ｄを参照して、差込部１Ａがジャック３０に挿入されたときに、球体１６ｃがマイクロスイッチ１４の可動電極部１４ｂを所定のストロークだけ固定電極部１４ａ側に押下するための、つまり、球体１６ｃを正常に動作させるための好適な設定例について説明する。
【００８７】
図７Ａに示すように、球体１６ｃにおいて、プラグＰＡをジャック３０の挿入穴３１に挿入したときに開口端部３１ａと接触し、開口端部３１ａから鉛直上向きの押圧力が入力される点を支点Ｐ５とし、この支点Ｐ５と球体１６ｃの中心Ｏ３とを結んだ線と、中心Ｏ３から鉛直方向に下ろした線とでなす角度をθ３としたときに、４５°＜θ３＜９０°の関係が成立している。図７Ａの状態（静止状態）において、球体１６ｃは、支点Ｐ５と球体１６ｃの中心Ｏ３とを結んだ線と、中心Ｏ３から鉛直下向きに下ろした線とでなす角度が４５°＜θ３＜９０°となるように、開口部１５ｃから一部が露出している。すなわち、球体１６ｃの支点Ｐ５は、図７Ａに示す静止状態から矢印Ａ３方向に回動して図７Ｄに示すようにマイクロスイッチ１４の可動電極部１４ｂを固定電極部１４ａ側へ所定のストロークだけ押下するまでの間に、４５°＜θ３＜９０°の範囲で回動する。これは、差込部１をジャック３０に挿入したときに、球体１６ｃが正常に動作する場合の支点Ｐ５の回動範囲を示している。
【００８８】
差込部１Ａがジャック３０の挿入穴３１に挿入されると、図７Ａに示すように、開口端部３１ａが第一の球体１６ｃの支点Ｐ５に接触し、支点Ｐ５に開口端部３１ａから鉛直上向きの押圧力が入力される。そして、球体１６ｃは、図７Ｂに示すように、開口端部３１ａにより矢印Ａ３方向に押し上げられながら案内板１７Ａｂに沿って接点信号発生部１３Ａの内部側に回動する。そして、差込部１Ａがジャック３０の挿入穴３１にさらに挿入されると、図７Ｃに示すように、球体１６ｃが開口端部３１ａにより矢印Ａ３方向にさらに押し上げられながら案内板１７Ａｂに沿って接点信号発生部１３Ａの内部側に回動して、マイクロスイッチ１４の可動電極部１４ｂを固定電極部１４ａ側へと徐々に押し下げる。
【００８９】
そして、差込部１Ａがジャック３０の挿入穴３１にさらに挿入されると、図７Ｄに示すように、球体１６ｃが壁面３１ｂによって接点信号発生部１３Ａの内部側に押圧されて、案内板１７Ａｂに沿って回動し、全体が接点信号発生部１３Ａの内部に収容されるとともに、壁面３１ｂからの押圧力によりマイクロスイッチ１４の可動電極部１４ｂを所定のストロークだけ固定電極部１４ａ側に押下する。この一連の動きにおいて、図７Ａ〜Ｄに示すように、球体１６ｃの支点Ｐ５の回動範囲は、中心Ｏ３から支点Ｐ５に向かって下ろした線と中心Ｏ３から鉛直方向に下ろした線とでなす角度θ３としたときに、４５°＜θ３＜９０°となる。
【００９０】
このようにして、プラグＰＡをジャック３０の挿入穴３１に挿入したときに、球体１６ｃが正常に動作して、マイクロスイッチ１４の可動電極部１４ｂを所定のストロークだけ固定電極部１４ａ側に押下することができる。
【００９１】
次に、図８および適宜図７Ａ〜Ｄを参照して、第二実施形態に係るプラグＰＡの差込部１Ａをジャック３０に装着する様子について説明する。
まず、図８（ａ）上図および図７Ａに示すように、差込部１Ａをジャック３０の上方に配置し、電極部１１側からジャック３０の挿入穴３１に挿入していくと、球体１６ｃの支点Ｐ５がジャック３０の挿入穴３１の開口端部３１ａに接触する。このとき、図８（ａ）下図に示すように、球体１６ｃは、静止状態の位置にある。なお、図８（ａ）、（ｂ）の下図では、差込部１Ａを下端部側（電極部１１側）から見上げた状態を示している。
【００９２】
この状態で、差込部１Ａをジャック３０の挿入穴３１にさらに挿入していくと、図８（ｂ）上図および図７Ｄに示すように、球体１６ｃが、ジャック３０の挿入穴３１の開口端部３１ａによって鉛直上向きに押圧される。そして、差込部１Ａを、ジャック３０の挿入穴３１にさらに挿入していくと、球体１６ｃがジャック３０の挿入穴３１の壁面３１ｂによって接点信号発生部１３の内部側へと押圧されて、この押圧力により、案内板１７Ａｂに沿って回動し、全体が接点信号発生部１３の内部に収納されるとともに、マイクロスイッチ１４の可動電極部１４ｂの先端部を鉛直上向きに押圧して、可動電極部１４ｂを所定のストロークだけ固定電極部１４ａ側へと押下する。
【００９３】
これにより、マイクロスイッチ１４の可動電極部１４ｂの接点（図示せず）と、固定電極部１４ａの接点（図示せず）とが互いに接触してマイクロスイッチ１４がＯＮ状態（通電状態）となり、回路部に電流が流れることによって回路部（図示せず）が起動し、この回路部（図示せず）からプラグＰＡとジャック３０とが電気的に接続されていることを示す接点信号が出力される。
【００９４】
また、このとき、接点信号発生部１３の開口部１５ｃがジャック３０の挿入穴３１の壁面３１ｂによって外側から覆われているため、球体１６ｃは、開口部１５ｃから露出した部分でジャック３０の挿入穴３１の壁面３１ｂと当接し、ジャック３０の挿入穴３１の壁面３１ｂによって、接点信号発生部１３の内部の空間内へと付勢され続けることになる。このため、球体１６ｃは、接点信号発生部１３の内部に収納された状態で静止する。
このようにして、差込部１がジャック３０の挿入穴３１に挿入された状態でねじり操作を行ったとしても、球体１６ｃは、位置を変えずにその場でそれぞれ回転するため、球体１６ｃと、マイクロスイッチ１４の可動電極部１４ｂとの位置関係は変化しない。
したがって、球体１６ｃが、ジャック３０の挿入穴３１に挿入されている間は、マイクロスイッチ１４がＯＮ状態を継続し、回路部（図示せず）から接点信号を継続して出力する。
【００９５】
また、この状態で、図８（ｂ）上図に示すように、電極部１１のスリーブ電極部１１ａが、ジャック３０に設けられたスリーブ端子３３ａと接触し、電極部１１のリング電極部１１ｂが、ジャック３０に設けられたリング端子３３ｂと接触し、電極部１１のチップ電極部１１ｃが、ジャック３０に設けられたチップ端子３３ｃと接触して電気的に接続される。
これにより、プラグＰＡがオーディオ装置Ａ（図１参照）で生成された音声信号をジャック３０から取り出すことが可能となる。
【００９６】
一方、差込部１Ａは、拡径部１２の下端部１２ａがジャック３０の挿入穴３１の当接部３２に当接する。そして、差込部１Ａがその位置で係止されることになる。
【００９７】
このようにして、差込部１Ａのマイクロスイッチ１４から出力された接点信号は、前記した第一実施形態において説明したのと同様に、ケーブルＣを介して、ケーブルＣの他端部が接続されるスピーカＳ（図１参照）に出力され、スピーカＳに設けられた接続表示部５０（図１参照）において表示されてもよい。これにより、接点信号が可視化されるので、使用者がプラグＰＡとジャック３０との電気的な接続状態を容易に判別することができる。詳しい内容は、前記した第一実施形態において説明したのと同様であるので、ここでは省略する。
【００９８】
一方、プラグＰＡの差込部１Ａをジャック３０から取り外すときは、差込部１Ａは、図８（ｂ）、（ａ）の順に動作する。このとき、図８（ａ）の段階で、接点信号発生部１３の球体１６ｃが、マイクロスイッチ１４の可動電極部１４ｂから離間しているため、可動電極部１４ｂが、図示しない付勢部材の復元力によって押し戻されて元の位置に復元する。これによって、マイクロスイッチ１４は、ＯＦＦ状態となり、回路部（図示せず）に電流が流れなくなるので、回路部（図示せず）から接点信号が出力されなくなる。
【００９９】
以上説明した第二実施形態に係るプラグＰＡによれば、差込部１Ａのマイクロスイッチ１４から接点信号を出力することができるので、使用者が、プラグＰＡとジャック３０とが電気的に接続されているか否かを容易に判別することが可能となる。
また、接点信号発生部１３において、可動部材として、球体１６ｃを用いたことにより、差込部１をジャック３０の挿入穴３１に着脱する際の抜き差し操作や、差込部１をジャック３０の挿入穴３１に挿入した状態でのねじり操作等において、球体１６ｃが回転しながら挿入穴３１の壁面３１ｂと接触するので、球体１６ｃと挿入穴３１の壁面３１ｂとの接触面の摩耗を抑制することができる。さらに、球体１６ｃと接点信号発生部１３の壁面１３ａ（スリーブ電極部１１ａの壁面）との接触面の摩耗を抑制することができる。
【０１００】
また、簡素な構成で、プラグＰＡに、プラグＰＡとジャック３０との電気的な接続状態を示す接点信号を出力する機構を設けることができるので、製造が容易であり、製造コストが安価となる。
【０１０１】
このように構成された第一、第二実施形態に係るプラグＰ、ＰＡは、例えば、１１０号音声プラグ、２．５ｍｍ／３．５ｍｍ／６．３ｍｍ音声プラグ、バンタムジャック、ビデオジャック、キャノンコネクタおよびＤＣコネクタ等に適用可能である。
【０１０２】
以上、本発明の第一、第二実施形態に係るプラグＰ、ＰＡについて説明したが、本発明は、前記した第一、第二実施形態に限定されるものではなく、本発明の趣旨を逸脱しない範囲で、適宜変更が可能なことはもちろんである。
【０１０３】
第一、第二実施形態に係るプラグＰ、ＰＡでは、可動部材（球体）と開口部の数を一致させていたが、これに限られるものではなく、例えば、図９（ａ）および（ｂ）に示すように、開口部の数が可動部材（球体）の数よりも少なくてもよい。例えば図９（ａ）に示す差込部１Ｂは、可動部材を、球体１６ｄ、１６ｅで構成し、開口部を、開口部１５ｄで構成した。球体１６ｄは、開口部１５ｄから一部が露出した状態で接点信号発生部１３Ｂ内に保持され、球体１６ｅは、全体が、接点信号発生部１３Ｃ内に収納されている。このような構成としても、差込部１Ｂをジャック３０の挿入穴３１に挿入すると、図３Ａ〜Ｃに示したように球体１６ｄが動作され、球体１６ｄの動作に応じて、球体１６ｅが接点信号発生部１３Ｂの内壁に沿って押し上げられることにより、マイクロスイッチ１４をＯＮ状態とすることが可能である。
【０１０４】
また例えば、図９（ｂ）に示す差込部１Ｃは、可動部材を、球体１６ｆ〜１６ｈで構成し、開口部を、開口部１５ｅ、１５ｆで構成した。球体１６ｆは、開口部１５ｅから一部が露出した状態で接点信号発生部１３Ｃ内に保持され、球体１６ｇは、開口部１５ｆから一部が露出した状態で接点信号発生部１３Ｃ内に保持され、球体１６ｈは、全体が、接点信号発生部１３Ｃ内に収納されている。このような構成としても、差込部１Ｄをジャック３０の挿入穴３１に挿入すると、図３Ａ〜Ｅに示したように球体１６ｆ、１６ｇが動作され、球体１６ｆは、球体１６ｇとの接点から伝えられた押圧力によりマイクロスイッチ１４側へと押し上げられることにより、マイクロスイッチ１４をＯＮ状態とすることが可能である。
このとき、マイクロスイッチ１４を押下する球体１６ｈは、他の球体１６ｆ、１６ｇよりも小さくてもよく、開口部１５ｅ、１５ｆの径よりも小さな径であっても構わない。
【０１０５】
なお、前記した第一または第二実施形態において、差込部１をジャック３０に挿入したときに、第一の球体１６ａおよび第二の１６ｂまたは球体１６ｃを正常に動作させるための好適な設定例を説明したが、これに限られるものではない。ジャック３０の開口端部３１ａから伝えられた鉛直上向きの押圧力を回転力に変えて第一の球体１６ａを矢印Ａ１（図３Ａ参照）方向に所定量回動させて第二の球体１６ｂをマイクロスイッチ１４側に押し上げるとともに、ジャック３０の開口端部３１ａから伝えられた鉛直上向きの押圧力により第二の球体１６ｂを矢印Ａ２（図３Ｄ参照）方向に所定量回動させることができればよい。また、ジャック３０の開口端部３１ａから伝えられた押圧力により、球体１６ｃを案内板１７Ａｂに沿って矢印Ａ３（図７Ａ参照）方向に所定量回動させることができればよい。
【０１０６】
次に、図１０を参照して、第一実施形態に係るプラグＰの本体部２に表示部２１を設けた例について説明する。
プラグＰは、図１０に示すように、差込部１と、本体部２と、を備えている。差込部１は、第一実施形態において説明したとおり、ジャック３０に脱着可能に接続されて、ジャック３０と通電した状態で、ジャック３０から信号を取り出す部分であり、本体部２は、差込部１がジャック３０から取り出した信号あるいはマイクロスイッチ１４から出力された接点信号を入力してこの信号を利用する部分である。本体部２は、差込部１から延びるケーブルＣを挿通するようになっており、このケーブルＣを介して例えば、ＢｌｕｅＴｏｏｔｈ（登録商標）機器にさらに接続される、Ａ／Ｄ変換またはＤ／Ａ変換した音声信号の入出力を行うＡ／Ｄ変換器またはＤ／Ａ変換器や、レベルメータ（ＶＵ計あるいはピークメータ）、ＦＭ／ＡＭトランスミッタ、スピーカ、インカム送受信器およびビデオ変復調器に接続される。
【０１０７】
本体部２は、差込部１の接続部１９（図２参照）に設けられた雄ねじと対応する雌ねじが設けられた被接続部（図示せず）を有しており、この被接続部（図示せず）に、差込部１の接続部１９（図２または図６参照）を接続することにより、差込部１を接続するようになっている。
【０１０８】
本体部２は、差込部１のマイクロスイッチ１４から出力された接点信号を受信する図示しない接点信号入力部（図示せず）と、この接点信号入力部（図示せず）から接点信号を入力し、この接点信号を表示させる制御部（図示せず）と、この制御部（図示せず）によって制御され、接点信号を表示する表示部２１と、を有している。
【０１０９】
表示部２１は、図１０に示すように、ここでは、本体部２の上端部付近の周面に所定間隔で３つ設けられている。この表示部２１は、接点信号を視認可能な態様で表示するものであれば特に限定されないが、例えば、ＬＥＤを用いることができる。
【０１１０】
例えば、差込部１のマイクロスイッチ１４によって、ＯＮ状態のときとＯＦＦ状態のときとで異なる接点信号が出力される場合、本体部２は、接点信号入力部（図示せず）によって、差込部１のマイクロスイッチ１４から出力された接点信号を入力すると、この接点信号を制御部（図示せず）に出力する。本体部２は、制御部（図示せず）によって、接点信号入力部（図示せず）から接点信号を入力すると、この接点信号を解析し、接点信号が、プラグＰとジャック３０とが電気的に接続されていることを示すものであると判定した場合、表示部２１を点灯あるいは点滅させる。一方、本体部２は、制御部（図示せず）によって、プラグＰとジャック３０とが電気的に接続されていないことを示すものであると判定した場合、表示部２１を消灯させる。なお、表示部２１は、接点信号が入力されていないときは、常時点灯し、接点信号が入力されると消灯するようになっていてもよい。
【０１１１】
このように、プラグＰによれば、差込部１のマイクロスイッチ１４から出力された接点信号を、本体部２の表示部２１によって表示することができるので、使用者がプラグＰとジャック３０との電気的な接続状態を容易に判別することが可能となる。
なお、ここでは、プラグＰの本体部２に表示部２１を設けた場合を例にとって説明したが、プラグＰＡの本体部２に表示部２１を設けてもよいことはもちろんである。
【符号の説明】
【０１１２】
１〜１Ｃ      差込部
１１      電極部
１１ａ      スリーブ電極部
１１ｂ      リング電極部
１１ｃ      チップ電極部
１１ｄ      絶縁リング
１２      拡径部
１３〜１３Ｃ      接点信号発生部
１３ａ      壁面
１４      マイクロスイッチ
１４ａ      固定電極部
１４ｂ      可動電極部
１５ａ      第一の開口部
１５ｂ      第二の開口部
１５ｃ〜１５ｆ      開口部
１６ａ      第一の球体
１６ｂ      第二の球体
１６ｃ〜１６ｈ      球体
１７ａ      支持板
１７ｂ、１７Ａｂ      案内板
１８      空孔部
１９      接続部
２      本体部
２１      表示部
３０      ジャック
３１      挿入穴
３１ａ      開口端部
３１ｂ      壁面
３２      当接部
３３ａ      スリーブ端子
３３ｂ      リング端子
３３ｃ      チップ端子
Ｐ、ＰＡ      プラグ
【図１】
0005667527.tif 000002
【図２】
0005667527.tif 000003
【図３Ａ】
0005667527.tif 000004
【図３Ｂ】
0005667527.tif 000005
【図３Ｃ】
0005667527.tif 000006
【図３Ｄ】
0005667527.tif 000007
【図３Ｅ】
0005667527.tif 000008
【図３Ｆ】
0005667527.tif 000009
【図４】
0005667527.tif 000010
【図５】
0005667527.tif 000011
【図６】
0005667527.tif 000012
【図７Ａ】
0005667527.tif 000013
【図７Ｂ】
0005667527.tif 000014
【図７Ｃ】
0005667527.tif 000015
【図７Ｄ】
0005667527.tif 000016
【図８】
0005667527.tif 000017
【図９】
0005667527.tif 000018
【図１０】
0005667527.tif 000019